(57)【特許請求の範囲】
【請求項１】
前後方向が前胴周り域と後胴周り域とこれら両域間に位置する股下域とで構成され、胴周り開口と左右一対の脚周り開口とを有するパンツ型のカバー部材と、前記カバー部材の内面に取り付けられて、前記股下域を中心に前記前後胴周り域方向へ延びる吸液性パッド部材とを有する使い捨てのおむつであって、
前記カバー部材は、前記おむつ着用者の尿道口とその近傍とを覆うおむつ前側の幅方向中央部位が、弾性部材を介しておむつ幅方向に伸縮性を有し、前記前胴周り域の内面と前記後胴周り域の内面とには、前記前後胴周り域方向において互いに離間する第１接合部位と第２接合部位とがそれぞれ形成されており、前記股下域の内面には、着用者の尿道口とその近傍とを覆う部位をはさんで前記幅方向に互いに離間する第３接合部位および第４接合部位が形成されており、
前記パッド部材は、透液性内面シートと不透液性外面シートとこれら両シート間に介在する吸液性コアとで構成され、前記幅方向へ延びる前後端縁部と前記前後方向へ延びる両側縁部とを有し、前記外面シートが、前記カバー部材の内面と、前記第１，第２，第３および第４接合部位においてのみ接合しており、
前記吸液性コアには、該コア外面の幅方向中央部に、おむつ前後方向へ延びる溝が形成されていることを特徴とする前記おむつ。
【請求項２】
前記パッド部材の両側縁部には、おむつ前後方向へ延び、前記パッド部材内面からの起立性向を有する防漏カフが形成され、該防漏カフは、前記内面との間に前記パッド部材内方へ向かって開口可能なポケットを形成している請求項１記載のおむつ。
【発明の詳細な説明】
【０００１】
【発明の属する技術分野】
この発明は、使い捨ておむつに関する。
【０００２】
【従来の技術】
特開平８−１１２３０８号公報に開示のパンツ型使い捨ておむつは、おむつ着用者の排尿部近傍の部位におむつ幅方向へ延びる弾性部材が伸長状態で取り付けられている。かかるおむつは、排尿部近傍のフィット性が向上すると説明されている。
【０００３】
特開平９−５６７４６号公報に開示のパンツ型体液吸収性着用物品は、パンツ型のカバー部材と、カバー部材の内面に取り付けられ、カバー部材の股下域を中心に前後胴周り域間に延在する吸液性パッドとで構成されている。カバー部材は、脚周り開口の頂部近傍において胴周りを周回する弾性部材を有し、カバー部材の股下域は、前後胴周り域方向への弾性伸縮性を有する。
【０００４】
【発明が解決しようとする課題】
前記特開平８−１１２３０８号公報によって公知のおむつは、トップシートとバックシートとの間に吸液性コアが介在してなる吸液性本体の胴周囲部に弾性部材を配置するもので、この弾性部材は、おむつ胴周りを着用者にフィットさせることによって、排尿部近傍でのフィット性をも向上させることができる。ただし、かかるフィット性の向上とは、おむつを胴周りに側方から密着させるということであるから、おむつを尿道口に対して下方から、または斜め下方からフィットさせたいという要求に応えることはできない。
【０００５】
前記特開平９−５６７４６号公報によって公知のおむつは、股下域全体が前後方向へ伸縮するから、股下域に位置する吸液性パッドを下方または斜め下方から尿道口とその近傍に密着させることは可能であるが、股下域の全体が身体に密着して蒸れ易いという問題が残る。加えて、その股下域に比較的高価な伸縮性シートを使用しなければならないから、製造コストの面において、このおむつは必ずしも有利であるとはいえない。
【０００６】
この発明の解決課題は、吸液性パッドを尿道口とその近傍に確実に密着させることが可能で、蒸れの少ない使い捨ておむつの提供である。
【０００７】
【課題を解決するための手段】
前記課題解決のために、この発明が前提とするのは、前後方向が前胴周り域と後胴周り域とこれら両域間に位置する股下域とで構成され、胴周り開口と左右一対の脚周り開口とを有するパンツ型のカバー部材と、前記カバー部材の内面に取り付けられて、前記股下域を中心に前記前後胴周り域方向へ延びる吸液性パッド部材とを有する使い捨てのおむつである。
【０００８】
かかる前提において、この発明が特徴とするところは、次のとおりである。前記カバー部材は、前記おむつ着用者の尿道口とその近傍とを覆うおむつ前側の幅方向中央部位が、弾性部材を介しておむつ幅方向に伸縮性を有し、前記前胴周り域の内面と前記後胴周り域の内面とには、前記前後胴周り域方向において互いに離間する第１接合部位と第２接合部位とがそれぞれ形成されており、前記股下域の内面には、着用者の尿道口とその近傍とを覆う部位をはさんで前記幅方向に互いに離間する第３接合部位および第４接合部位が形成されている。前記パッド部材は、透液性内面シートと不透液性外面シートとこれら両シート間に介在する吸液性コアとで構成され、前記幅方向へ延びる前後端縁部と前記前後方向へ延びる両側縁部とを有し、前記外面シートが、前記カバー部材の内面と、前記第１，第２，第３および第４接合部位においてのみ接合しており、前記吸液性コアには、該コア外面の幅方向中央部に、おむつ前後方向へ延びる溝が形成されている。
【０００９】
【００１０】
実施態様の一つにおいて、前記パッド部材の両側縁部には、おむつ前後方向へ延び、前記パッド部材内面からの起立性向を有する防漏カフが形成され、該防漏カフは、前記内面との間に前記パッド部材内方へ向かって開口可能なポケットを形成している。
【００１１】
【発明の実施の形態】
添付の図面を参照して、この発明に係る使い捨ておむつの詳細を説明すると、以下のとおりである。
【００１２】
図１に部分破断斜視図で示されたパンツ型の使い捨ておむつ１は、パンツ型のカバー部材２と、カバー部材２の内面に取り付けられた吸液性パッド３とで構成されている。
【００１３】
カバー部材２は、その内外面を形成する同形同大の２枚のシート１１，１２を重ね合わせて接着したもので、前後方向が前胴周り域６と、後胴周り域７と、これら両域６，７間に位置する股下域８とで構成されている。前後胴周り域６，７は、互いの側縁部で合掌状に重なり合い、図において上下方向へ間欠的に並ぶ部位９で接合して、胴周り開口１３と左右一対の脚周り開口１４とを形成している。これら開口１３，１４の周縁部では、胴周り弾性部材１６と脚周り弾性部材１７とが周回し、これら弾性部材１６，１７それぞれが、重なり合うシート１１，１２の少なくとも一方の内面に伸長状態で接合している。カバー部材２の前胴周り域６および／または股下域８であって、着用者の尿道口とその近傍とを覆う部位１８には、カバー部材２の幅方向へ延びる弾性部材２０がシート１１，１２間に位置し、これらシート１１，１２のうちの少なくとも一方の内面に伸長状態で接合している。シート１１，１２は、不織布やプラスチックフィルムからなるもので、好ましくは、内面側のシート１１に通気不透液性のプラスチックフィルムを使用し、外面側シート１２には、肌触りのよい通気性の不織布を使用する。ただし、カバー部材２は、このように２層構造のものに限らないから、例えばシート１１または１２の一方だけで構成することもできる。いずれのシートの場合でも、弾性部材は、シートの内側に位置していることが好ましい。
【００１４】
図２、３は、図１のおむつ１を部位９において前後に剥離し、前後方向と幅方向とに伸展したときの平面図と、この伸展したおむつ１の分解破断斜視図である。吸液性パッド３は、カバー部材２の内側にあって、股下域８を中心に前後胴周り域６，７間に延在し、前後両端部１６，１７の外面が、カバー部材２の前後胴周り域６，７内面の第１，第２接合部位２８，２９にホットメルト接着剤を介して接合している（図３参照）。また、吸液性パッド３の両側縁部の外面が、カバー部材２の部位１８に対して、部材２の幅方向で互いに離間している２箇所５１，５２で後記ホットメルト接着剤５５を介して接合している。
【００１５】
吸液性パッド３は、上面が透液性表面シート２１で被覆され、下面が不透液性裏面シート２２で被覆されたパッド本体２３と、本体２３の両側縁部に沿って前後方向へ延びる左右一対の防漏カフ２４とを有する。図のカフ２４は、パッド本体２３に接合する基縁部２６と、基縁部２６に平行する自由縁部２７とを有し、基縁部２６においておむつ１の内方へ向かって倒伏し、自由縁部２７がパッド本体２３の上面の一部分を覆い、自由縁部２７の前後両端部３６，３７の内面が表面シート２１に接合している。カフ２４は、自由縁部２７の頂縁３１に弾性部材３３が伸長状態で取り付けられている。
【００１６】
図４は、図３のＩＶ−ＩＶ線矢視による断面の部分図であるが、おむつ１の伸展をゆるめることによって、おむつ１の前後方向が吸液性パッド３を内側にしてやや湾曲し、防漏カフ２４が弾性部材３３の収縮によって起立している。カバー部材２では、２箇所の第３，第４接合部位５１，５２にパッド本体２３が接着剤５５を介して接合し、弾性部材２０が収縮することによって、部位１８が幅方向へ収縮して多数のギャザー２５が生じている。部位１８とその近傍では、パッド本体２３が着用者の尿道口（図示せず）とその近傍に向かって隆起している。
【００１７】
パッド本体２３は、表裏面シート２１，２２間に吸液性コア４１を有し、表裏面シート２１，２２は、コア４１の四周から延出して重なり合い互いに接合している。コア４１は、粉砕パルプまたは粉砕パルプと高吸水性ポリマー粉末との混合物をティッシュペーパ（図示せず）で被覆することにより構成されている。パッド本体２３が図示のように隆起することを容易にするために、コア４１の下面には、幅方向中央で前後方向へ延びる溝５０が形成されている。
【００１８】
カフ２４は、自由縁部２７が表面シート２１の上方へ起立し、カフ２４とパッド本体２３とで形成しているポケット４８が大きく開口する。
【００１９】
この発明は、図示例のパンツ型おむつの他に、開放型のおむつで実施することもできる。構成部材どうしを接合するには、ホットメルト接着剤等の接着剤や粘着剤を使用したり、部材が熱溶融性のものであるときには、溶着技術を利用したりすることができる。
【００２０】
【発明の効果】
このように構成されたおむつは、着用者の尿道口近傍において吸液性パッドの本体が隆起することによって、尿道口に下方または斜め下方から当接可能であるから、着用者に対して吸液性パッドを側方のみから圧接する従来技術のおむつに比べ、尿を速やかに、かつ、確実に吸収することができる。股下域では、伸縮性が局部的であるから、股下域の全体が着用者に圧接する従来技術のおむつに比べ、蒸れが軽微になる。
【図面の簡単な説明】
【図１】  おむつの部分破断斜視図。
【図２】  おむつを側縁部で前後方向へ剥離し、伸展したときの平面図。
【図３】  図２のおむつの分解破断斜視図。
【図４】  図４のＡ−Ａ線矢視による部分断面図。
【符号の説明】
１    おむつ
２    カバー部材
３    パッド部材
６    前胴周り域
７    後胴周り域
８    股下域
１６，１７    端縁部
１８    伸縮性部位
２１    表面シート
２２    裏面シート
２４    カフ
２８    第１接合部位
２９    第２接合部位
４１    コア
４８    ポケット
５０    溝
５１    第３接合部位
５２    第４接合部位
【図１】
0003983376.tif 000002
【図２】
0003983376.tif 000003
【図３】
0003983376.tif 000004
【図４】
0003983376.tif 000005